(57)【要約】【課題】  ＤＨＣＰまたはＤＨＣＰ−ＰＤを用いてユーザ装置の設定を行うＩＰネットワークにおいて、ユーザ装置を交換した場合であっても、直ちに通信することが可能なＤＨＣＰ情報管理システムを提供する。【解決手段】  ＤＨＣＰ情報管理サーバ１１は、ユーザＩＤが指定されたＤＨＣＰ情報削除要求の入力を判断した場合、ユーザ情報データベースサーバ１２にユーザ情報要求を送信する。ユーザ情報データベースサーバ１２は、ユーザＩＤに基づいて、ユーザ情報データベースから、ＤＨＣＰサーバのアドレス及びユーザの収容位置情報を取得し、返信する。ＤＨＣＰ情報管理サーバ１１は、ＤＨＣＰサーバ２に、ユーザの収容位置を指定したＤＨＣＰ情報削除要求を送信する。ＤＨＣＰサーバ２は、指示された収容位置のＤＨＣＰ情報を削除する。【選択図】  図１
2006245872.tif 000002
【特許請求の範囲】
【請求項１】
ユーザ装置と、ＤＨＣＰまたはＤＨＣＰ−ＰＤを用いて前記ユーザ装置のＩＰアドレスを割当て、該ユーザ装置の収容位置情報を含むＤＨＣＰ情報を記憶したＤＨＣＰサーバとを備えたＩＰネットワークの下で、前記ＤＨＣＰ情報を管理するＤＨＣＰ情報管理システムであって、
ユーザ装置を識別するためのユーザ識別子、ユーザ装置がアクセスするＤＨＣＰサーバのアドレス、及びユーザ装置の収容位置情報を関連付けて記憶するユーザ情報データベース部と、
ユーザ識別子が指定されたＤＨＣＰ情報削除要求を入力した場合に、前記ユーザ情報データベース部から、該ユーザ識別子に関連付けられたＤＨＣＰサーバのアドレス、及びユーザ装置の収容位置情報を取得し、該ユーザ装置の収容位置情報を指定したＤＨＣＰ情報削除要求を該ＤＨＣＰサーバへ送信し、該ＤＨＣＰサーバに、該ユーザ装置の収容位置情報を含むＤＨＣＰ情報を削除させるＤＨＣＰサーバ制御部と、
を有することを特徴とするＤＨＣＰ情報管理システム。
【請求項２】
請求項１に記載のＤＨＣＰ情報管理システムにおいて、
前記ユーザ装置の収容位置情報を、ユーザ装置を収容するルータのＩＰアドレス、及び、ルータにおいてユーザ装置を収容するインタフェースを識別するためのインタフェース識別子とすることを特徴とするＤＨＣＰ情報管理システム。
【請求項３】
請求項１に記載のＤＨＣＰ情報管理システムにおいて、
前記ユーザ装置の収容位置情報を、ユーザ装置に割当てるＩＰアドレスまたはＩＰｖ６アドレスプレフィックスとすることを特徴とするＤＨＣＰ情報管理システム。
【請求項４】
請求項２に記載のＤＨＣＰ情報管理システムにおいて、
前記インタフェース識別子を、ＶＬＡＮ識別子とすることを特徴とするＤＨＣＰ情報管理システム。
【請求項５】
請求項１に記載のＤＨＣＰ情報管理システムにおいて、
さらに、ユーザ回線断検出部を備え、
ユーザ回線断検出部は、ユーザ装置を収容するルータから、収容回線が切断されたユーザ情報の収容位置情報を受信した場合に、該ユーザ装置の収容位置情報を前記ＤＨＣＰサーバ制御部へ通知し、
ＤＨＣＰサーバ制御部は、前記ユーザ装置の収容位置情報の通知を受けた場合に、前記ユーザ情報データベース部から、該ユーザ装置の収容位置情報に関連付けられたＤＨＣＰサーバのアドレスを取得し、該ユーザ装置の収容位置情報を指定したＤＨＣＰ情報削除要求を該ＤＨＣＰサーバへ送信し、該ＤＨＣＰサーバに、該ユーザ装置の収容位置情報を含むＤＨＣＰ情報を削除させることを特徴とするＤＨＣＰ情報管理システム。
【発明の詳細な説明】
【技術分野】
【０００１】
本発明は、ＩＰ転送を実施する端末装置またはルータを備えたＩＰネットワークにおいて、ＤＨＣＰ（Dynamic Host Configuration Protocol）またはＤＨＣＰ−ＰＤ（Prefix Delegation）を用いて、ＩＰアドレスまたはＩＰｖ６（Internet Protocol version 6）アドレスプレフィックスを設定する技術に関する。
【背景技術】
【０００２】
従来のＩＰネットワーク技術では、ＩＰネットワークに接続するユーザ装置に対し、ＤＨＣＰ（非特許文献１を参照）により、ＩＰアドレスの自動設定を実現することができる。ＤＨＣＰでは、図８に示すように、ＩＰネットワーク１００に設置されたＤＨＣＰサーバ１０１及びＤＨＣＰサーバ部１０４に、ＩＰネットワーク１００において割当て可能なＩＰアドレス群を予め登録しておく。ユーザ装置１０５，１０６がユーザ収容ルータ１０２を介してＤＨＣＰサーバ１０１に、ユーザ装置１０７，１０８がユーザ収容ルータ１０３に備えたＤＨＣＰサーバ部１０４にそれぞれアクセスし、ＩＰアドレスの割当てを要求する。ＤＨＣＰサーバ１０１及びＤＨＣＰサーバ部１０４は、登録されたＩＰアドレス群の中から、未割当てのＩＰアドレスをユーザ装置１０５〜１０８にそれぞれ通知する。この場合、ＤＨＣＰサーバ１０１及びＤＨＣＰサーバ部１０４は、割当てたＩＰアドレスを登録すると共に、ユーザの利便性を考慮し、同一ユーザに対し同一のＩＰアドレスを割当てるようにするため、ユーザ装置を収容するルータのインタフェース識別子、すなわち、収容位置情報と、ユーザ装置に割当てるＩＰアドレスとの関係も登録する。
【０００３】
ＤＨＣＰでは、ＤＨＣＰサーバ１０１及びＤＨＣＰサーバ部１０４がユーザ装置１０５〜１０８を識別するために、クライアントＤＵＩＤ（DHCP Unique Identifier）という識別子を用いる。図９を用いてその動作を具体的に説明する。ユーザ装置は、初回起動時に、ＭＡＣアドレス等のリンクレイヤアドレスに基づきクライアントＤＵＩＤを生成し（ステップＳ９０１）、ＩＰアドレスの割当要求をＤＨＣＰサーバに通知する（ステップＳ９０２）。ＤＨＣＰサーバは、ＩＰアドレス割当て時に、クライアントＤＵＩＤと、割当てたＩＰアドレスと、ＩＰアドレスを割当てたインタフェースの情報、すなわち収容位置情報と、をそれぞれ関連付けて記憶する（ステップＳ９０３）。収容位置情報としては、例えば、ユーザ装置を収容するルータのルータ識別子や、ユーザ装置が接続されているインタフェースのインタフェース識別子等がある。そして、ＤＨＣＰサーバ１０４は、割当てたＩＰアドレス及び有効期限をユーザ装置に送信し（ステップＳ９０４）、ユーザ装置は、受信したＩＰアドレスを設定する（ステップＳ９０５）。
【０００４】
また、ＤＨＣＰでは、ＤＨＣＰサーバは、クライアントＤＵＩＤを用いて、ＩＰアドレスが割当てられたユーザ装置を識別する。例えば、ユーザ装置からＩＰアドレス有効期限の延長要求を受信した場合に（ステップＳ９０６）、ＩＰアドレスとクライアントＤＵＩＤとの関係を確認し（ステップＳ９０７）、正当なユーザ装置に対してのみ、当該ＩＰアドレスの有効期限を延長することが可能となる（ステップＳ９０８，９０９）。言い換えると、ＤＨＣＰサーバは、クライアントＤＵＩＤを管理することにより、不正な装置や、不正なインタフェースからの要求に対して、拒否することが可能となる。
【０００５】
また、ＤＨＣＰでは、ユーザ装置は、ＩＰアドレスが不要になった場合、ＩＰアドレスの解放要求を実施し、解放要求を受信したＤＨＣＰサーバは、ＩＰアドレス割当て時に記憶した、ＩＰアドレス、クライアントＤＵＩＤ、インタフェース等のＤＨＣＰ割当情報を削除し、再割当てが可能な状態にする。
【０００６】
上記のクライアントＤＵＩＤの特長は、ＩＰｖ６アドレスプレフィックスを割当てるＤＨＣＰ−ＰＤの場合も同様である。
【０００７】
【非特許文献１】Ｒ．Ｄｒｏｍｓ等、“ＲＦＣ３３１５  Ｄｙｎａｍｉｃ  Ｈｏｓｔ  Ｃｏｎｆｉｇｕｒａｔｉｏｎ  Ｐｒｏｔｏｃｏｌ  ｆｏｒ  ＩＰｖ６（ＤＨＣＰｖ６）”、［online］、Ｊｕｌｙ  ２００３、インターネット＜ＵＲＬ：http://www.ietf.org/rfc/rfc3315.txt＞
【非特許文献２】Ｏ．Ｔｒｏａｎ等、“ＲＦＣ３６３３  ＩＰｖ６  Ｐｒｅｆｉｘ  Ｏｐｔｉｏｎ  ｆｏｒ  Ｄｙｎａｍｉｃ  Ｈｏｓｔ  Ｃｏｎｆｉｇｕｒａｔｉｏｎ  Ｐｒｏｔｏｃｏｌ（ＤＨＣＰ）  ｖｅｒｓｉｏｎ６”、［online］、Ｄｅｃｅｍｂｅｒ  ２００３、インターネット＜ＵＲＬ：http://www.ietf.org/rfc/rfc3633.txt＞
【発明の開示】
【発明が解決しようとする課題】
【０００８】
しかしながら、クライアントＤＵＩＤの生成基となるＭＡＣアドレス等のリンクレイヤアドレスは、インタフェースのハードウェアに振付けられるため、ユーザ装置やユーザ装置のインタフェース部分を交換する場合、一般的に、交換前のクライアントＤＵＩＤと、交換後のクライアントＤＵＩＤとは異なる値である。
【０００９】
従って、ユーザ装置またはユーザ装置のインタフェース部分を交換する場合、そのユーザ装置が、その交換前に故障等の理由でＩＰアドレス解放要求を送信できなかったときは、ＤＨＣＰサーバは、記憶されたＤＨＣＰ割当情報を削除できない。このため、ＤＨＣＰサーバは、同一のユーザが使用する交換後のユーザ装置からＩＰアドレス割当要求を受信した場合、異なるクライアントＤＵＩＤからの不正要求であると判断し、そのＩＰアドレス割当要求を拒否する（図９のステップＳ９１０〜Ｓ９１４を参照）。この場合、ＤＨＣＰサーバは、記憶したＩＰアドレスの有効期限が切れてＤＨＣＰ割当情報が削除されるまでは、ユーザ装置からのＩＰアドレス割当要求を拒否する。
【００１０】
この問題の解決方法として、ＩＰネットワークのオペレータが、記憶されたクライアントＤＵＩＤを削除する方法が考えられるが、オペレータは、ユーザ装置が独自に生成したクライアントＤＵＩＤを識別することは困難であり、また、一般的なユーザの技術レベルを考慮すると、ユーザがユーザ装置からクライアントＤＵＩＤを読み出し、オペレータに申告することも難しい。
【００１１】
また、ＤＨＣＰサーバにおいて、ＩＰアドレスの有効期限を短縮するという解決方法も考えられるが、ＩＰアドレスの有効期限を短縮した場合、ユーザ装置からルータ及びＤＨＣＰサーバへのＩＰアドレス更新要求が増加し、ルータ及びＤＨＣＰサーバが輻輳状態になるという懸念がある。
【００１２】
そこで、本発明の目的は、ＤＨＣＰまたはＤＨＣＰ−ＰＤを用いてユーザ装置（ＤＨＣＰクライアント端末やＤＨＣＰ−ＰＤリクエスティングルータをいう。）の設定を行うＩＰネットワークにおいて、ユーザ装置を交換した場合であっても、直ちに通信することが可能なＤＨＣＰ情報管理システムを提供することにある。
【課題を解決するための手段】
【００１３】
本課題を解決するために、本発明によるＤＨＣＰ情報管理システムは、クライアントＤＵＩＤの代わりに、ユーザ装置を容易に識別することが可能なユーザ識別子を用い、ＤＨＣＰサーバに対して、当該ユーザ識別子に関連付けられた収容位置情報に基づいてＤＨＣＰ情報を特定させ削除させることを特徴とする。これを実現するため、ＩＰネットワークに、ユーザ情報データベース部及びＤＨＣＰサーバ制御部を有するＤＨＣＰ情報管理システムを備える。このＤＨＣＰ情報管理システムのユーザ情報データベース部は、ユーザ識別子、ユーザ装置がアクセスするＤＨＣＰサーバのアドレス、及びユーザ装置の収容位置情報が関連付けられた情報を予め登録しておく。ＤＨＣＰ情報管理システムのＤＨＣＰサーバ制御部は、ユーザ識別子をキー情報としてユーザ情報データベース部にアクセスし、ＤＨＣＰサーバのＩＰアドレス、及びＤＨＣＰ情報を特定するための収容位置情報を取得し、ＤＨＣＰサーバに対してそのＤＨＣＰ情報を削除させる。つまり、ＤＨＣＰ情報管理システムは、ユーザ識別子、ＤＨＣＰサーバのアドレス及び収容位置情報の関連付けを記憶するユーザ情報データベースを有する。そして、削除されるＤＨＣＰ情報を記憶しているＤＨＣＰサーバを特定してアクセスすることにより、削除されるＤＨＣＰ情報が特定される。これにより、ＤＨＣＰサーバは、登録されているＩＰアドレスまたはＩＰｖ６アドレスプレフィックス、交換前のユーザ装置のＤＵＩＤ等が関連付けられたＤＣＨＰ情報を削除することができ、交換後のユーザ装置のＤＵＩＤ等を関連付けるＤＣＨＰ情報の登録を、有効期限切れを待つことなく直ちに実施することができる（請求項１）。
【００１４】
また、ユーザ装置の収容位置情報は、ユーザ装置を収容するルータのアドレス、及び、ルータにおいてユーザ装置を収容するインタフェースを識別するためのインタフェース識別子とすることが好適である。これにより、回線保守用のデータと兼用させることができるため、有効となる（請求項２）。
【００１５】
また、同一のユーザ装置に割当てるＩＰアドレスまたはＩＰｖ６アドレスプレフィックスが固定値である場合に、ユーザ装置の収容位置情報は、ユーザ装置に割当てるＩＰアドレスまたはＩＰｖ６アドレスプレフィックスとすることが好適である（請求項３）。また、インタフェース識別子は、ＶＬＡＮ識別子とすることが好適である（請求項４）。
【００１６】
また、本発明のＤＨＣＰ情報管理システムは、さらに、ユーザ回線断検出部を備え、ユーザ回線断検出部が、ユーザ装置を収容するルータから、収容回線が切断されたユーザ情報の収容位置情報を受信した場合に、該ユーザ装置の収容位置情報を前記ＤＨＣＰサーバ制御部へ通知し、ＤＨＣＰサーバ制御部が、前記ユーザ装置の収容位置情報の通知を受けた場合に、前記ユーザ情報データベース部から、該ユーザ装置の収容位置情報に関連付けられたＤＨＣＰサーバのアドレスを取得し、該ユーザ装置の収容位置情報を指定したＤＨＣＰ情報削除要求を該ＤＨＣＰサーバへ送信し、該ＤＨＣＰサーバに、該ユーザ装置の収容位置情報を含むＤＨＣＰ情報を削除させることを特徴とする（請求項５）。
【発明の効果】
【００１７】
以上のように、本発明によれば、ＤＨＣＰまたはＤＨＣＰ−ＰＤを用いてユーザ装置の設定を行うＩＰネットワークにおいて、ＤＨＣＰサーバがＤＣＨＰ情報を削除することにより、ユーザ装置を交換した場合であっても、直ちに通信可能な状態とすることができる。
【発明を実施するための最良の形態】
【００１８】
以下、本発明の実施例について、図面を用いて詳細に説明する。
【実施例１】
【００１９】
本発明の実施例１について、図１に示すＤＨＣＰ情報管理システムの構成例、図２に示すユーザ情報データベースの構成例、及び図３に示す動作例を用いて説明する。
実施例１のＤＨＣＰ情報管理システム１は、図１に示すように、ＤＨＣＰ情報管理サーバ１１及びユーザ情報データベースサーバ１２から構成される。この場合、ＤＨＣＰ情報管理サーバ１１がユーザ情報データベースサーバ１２の機能を備えるように構成してもよい。ＤＨＣＰ情報管理サーバ１１は、ＩＰネットワークを介して、ＤＨＣＰサーバ２に接続され、ＤＨＣＰサーバ２を経由してユーザ収容ルータ３に接続され、ユーザ収容ルータ３を経由してユーザ装置４に接続される。また、ＤＨＣＰ情報管理サーバ１１は、ＩＰネットワークを介して、ＤＨＣＰサーバ部５１を備えたユーザ収容ルータ５に接続され、ユーザ収容ルータ５を経由してユーザ装置６に接続される。
【００２０】
ユーザ情報データベースサーバ１２には、図２に示すように、ユーザ装置を識別するためのユーザＩＤ（識別子）、ユーザ装置がアクセスするＤＨＣＰサーバのアドレス、及び、ユーザ収容位置情報から成るユーザ情報データベースが予め登録されている。図１を参照して、ユーザ装置４は、ユーザ収容ルータ３を経由してＤＨＣＰサーバ２にアクセスし、ＤＨＣＰサーバ２によりＩＰアドレスまたはＩＰｖ６アドレスプレフィックスが割当てられる。一方、ユーザ装置６は、ユーザ収容ルータ５にアクセスし、ユーザ収容ルータ５に備えたＤＨＣＰサーバ部５１によりＩＰアドレスまたはＩＰｖ６アドレスプレフィックスが割当てられる。この場合、ユーザ情報データベースサーバ１２に備えたユーザ情報データベースに登録されるＤＨＣＰサーバのアドレスは、ユーザ収容ルータ５のアドレスである。
【００２１】
ＤＨＣＰサーバ２、及びユーザ収容ルータ５に備えたＤＨＣＰサーバ部５１には、ユーザ装置のクライアントＤＵＩＤ、ユーザ装置の収容位置情報、ユーザ装置に割当てたＩＰアドレスまたはＩＰｖ６アドレスプレフィックス、及び、これらが関連付けられた情報が記憶されている。
【００２２】
次に、実施例１の動作例について、図３を用いて説明する。
ＤＨＣＰ情報管理サーバ１１は、ユーザＩＤが指定されたＤＨＣＰ情報削除要求の入力を判断した場合（ステップＳ３０１）、ユーザ情報データベースサーバ１２に、ユーザＩＤが指定されたユーザ情報要求を送信する（ステップＳ３０２）。ユーザ情報要求を受信したユーザ情報データベースサーバ１２は、ユーザＩＤに基づいて、ユーザ情報データベースから、ＤＨＣＰサーバのアドレス及びユーザ装置の収容位置情報を取得し、これらの情報を返信する（ステップＳ３０３）。
【００２３】
次に、ＤＨＣＰサーバをユーザ収容ルータと独立に設けるＩＰネットワークにおいては、ＤＨＣＰ情報管理サーバ１１は、ユーザ情報データサーバ１２から返信されたＤＨＣＰサーバのＩＰアドレス及びユーザ装置の収容位置情報に基づいて、ＤＨＣＰサーバ２に、ユーザ装置の収容位置を指定したＤＨＣＰ情報削除要求を送信する（ステップＳ３０４）。ＤＨＣＰ情報削除要求を受信したＤＨＣＰサーバ２は、指示された収容位置のＤＨＣＰ情報を削除する（ステップＳ３０５）。
【００２４】
一方、ユーザ収容ルータがＤＨＣＰサーバ機能を備えるＩＰネットワークにおいては、ＤＨＣＰ情報管理サーバ１１は、ユーザ情報データサーバ１２から返信されたユーザ収容ルータのＩＰアドレス及びユーザ装置の収容位置情報に基づいて、ユーザ収容ルータ５に、ユーザ装置の収容位置を指定したＤＨＣＰ情報削除要求を送信する（ステップＳ３０４）。ＤＨＣＰ情報削除要求を受信したユーザ収容ルータ５は、指示された収容位置のＤＨＣＰ情報を削除する（ステップＳ３０５）。
【実施例２】
【００２５】
本発明の実施例２について、図４に示すユーザ情報データベースの構成例を用いて説明する。
実施例２のＤＨＣＰ情報管理システムの構成及び動作は、図１及び３に示した実施例１と同様である。まず、ＤＨＣＰサーバをユーザ収容ルータと独立に設けるＩＰネットワークにおいて、実施例２のユーザ情報データベースサーバ１２には、図４（１）に示すように、ユーザＩＤ、ユーザ装置がアクセスするＤＨＣＰサーバのアドレス、ユーザ装置を収容するルータのアドレス（例えば、ユーザ収容ルータ３のアドレス）、及び、ユーザ装置が収容されているインタフェースを識別するためのインタフェースインデックスから成るユーザ情報データベースが予め登録されている。ここで、インタフェースインデックスとは、ルータにおいてインタフェースを一意に識別するための番号である。
【００２６】
一方、ユーザ収容ルータがＤＨＣＰサーバ機能を備えるＩＰネットワークにおいて、実施例２のユーザ情報データベースサーバ１２には、図４（２）に示すように、ユーザＩＤ、ユーザ装置を収容するルータのアドレス（例えば、ユーザ収容ルータ５のアドレス）、及び、ユーザ装置が収容されているインタフェースを識別するためのインタフェースインデックから成るユーザ情報データベースが予め登録されている。
【実施例３】
【００２７】
本発明の実施例３について、図５に示すユーザ情報データベースの構成例を用いて説明する。
実施例３のＤＨＣＰ情報管理システムの構成及び動作は、図１及び３に示した実施例１と同様である。まず、ＩＰアドレスが設定されるユーザ装置の場合、実施例３のユーザ情報データベースサーバ１２には、図５（１）に示すように、ユーザＩＤ、ユーザ装置がアクセスするＤＨＣＰサーバのアドレスまたはユーザ収容ルータのアドレス、及び、ユーザ装置が割当てられるＩＰアドレスから成るユーザ情報データベースが予め登録されている。
【００２８】
一方、ＩＰｖ６アドレスプレフィックスが設定されるユーザ装置の場合、実施例３のユーザ情報データベースサーバ１２には、図５（２）に示すように、ユーザＩＤ、ユーザ装置がアクセスするＤＨＣＰサーバのアドレスまたはユーザ収容ルータのアドレス、及び、ユーザ装置に割当てられるＩＰｖ６アドレスプレフィックスから成るユーザ情報データベースが予め登録されている。
【実施例４】
【００２９】
本発明の実施例４について、ＤＨＣＰ情報管理システムの構成及び動作は、図１及び３に示した実施例１と同様である。また、実施例４のユーザ情報データベースの構成は、図４に示した実施例２における「ユーザ収容位置のインタフェースインデックス」の代わりに、「ＶＬＡＮ（Virtual Local Area Network）識別子」としたものである。すなわち、ＤＨＣＰサーバをユーザ収容ルータと独立に設けるＩＰネットワークにおいては、ユーザＩＤ、ユーザ装置がアクセスするＤＨＣＰサーバのアドレス、ユーザ装置を収容するルータのアドレス、及び、ＶＬＡＮ識別子から構成される。一方、ユーザ収容ルータがＤＨＣＰサーバ機能を備えるＩＰネットワークにおいては、ユーザＩＤ、ユーザ装置を収容するルータのアドレス、及び、ＶＬＡＮ識別子から構成される。
【実施例５】
【００３０】
本発明の実施例５について、図６に示すＤＨＣＰ情報管理システムの構成例、及び図７に示す動作例を用いて説明する。
実施例５は、図６に示すように、図１に示した実施例１のＤＨＣＰ情報管理システムの構成に、ユーザ回線断検出サーバ１３が追加して設けられている。すなわち、ＤＨＣＰ情報管理システム１は、ＤＨＣＰ情報管理サーバ１１及びユーザ情報データベースサーバ１２に加えて、ユーザ回線断線サーバ１３を備えている。このユーザ回線断検出サーバ１３は、ＩＰネットワークを介してユーザ収容ルータ３，５に接続される。この場合、ユーザ回線断検出サーバ１３は、ユーザ収容ルータ３，５により送信されるユーザ回線の回線断通知を受信できればよく、ルータを監視するオペレーションシステムであってもよい。尚、図６において、図１と同一部分には同一符号を付し、重複する説明は省略する。
【００３１】
次に、実施例５の動作例について、図７を用いて説明する。
まず、ユーザ収容ルータ３，５は、ユーザ収容回線の回線断を検出した場合に、ユーザ回線断検出サーバ１３に対し、ルータアドレス及び回線断位置情報を記述した回線断通知を送信する（ステップＳ７０１）。この場合、ユーザ収容ルータ３，５には、ユーザ回線断検出サーバ１３のアドレスが予め登録されている。この場合、ユーザ収容ルータ３，５には、不要な回線断通知を防止するため、通知の必要な回線のみが登録されているようにしてもよい。
【００３２】
回線断通知を受信したユーザ回線断検出サーバ１３は、回線断位置情報を収容位置情報として、ＤＨＣＰ情報管理サーバ１１に対し、ルータアドレス及び収容位置情報を記述した回線断通知を送信する（ステップＳ７０２）。そして、回線断通知を受信したＤＨＣＰ情報管理サーバ１１は、ユーザ情報データベースサーバ１２に対し、収容位置情報を記述したユーザ情報要求を送信する（ステップＳ７０３）。ユーザ情報要求を受信したユーザ情報データベースサーバ１２は、収容位置情報に基づいて、ユーザ情報データベースから、回線断位置情報、すなわち回線断が発生したユーザの収容位置情報に関連付けられたＤＨＣＰサーバのアドレスを取得し、ＤＨＣＰ情報管理サーバ１１に対し、当該ＤＨＣＰサーバアドレスを記述したユーザ情報応答を返信する（ステップＳ７０４）。
【００３３】
次に、ＤＨＣＰ情報管理サーバ１１は、ユーザ情報データベースサーバ１２から返信されたＤＨＣＰサーバのＩＰアドレス、及び、ユーザ回線断検出サーバ１３から送信されたユーザの収容位置情報に基づいて、ＤＨＣＰサーバ２またはＤＨＣＰサーバ部５１に対し、ユーザの収容位置を指定したＤＨＣＰ情報削除要求を送信する（ステップＳ７０５）。そして、ＤＨＣＰ情報削除要求を受信したＤＨＣＰサーバ２またはＤＨＣＰサーバ部５１は、ユーザの収容位置情報に基づいて、その収容位置情報に関連付けられたクライアントＤＵＩＤや、そのユーザに割当てたＩＰアドレスまたはＩＰｖ６アドレスプレフィックス等のＤＨＣＰ情報を削除する（ステップＳ７０６）。
【図面の簡単な説明】
【００３４】
【図１】本発明の実施例１におけるシステム構成例である。
【図２】本発明の実施例１におけるユーザ情報データベースの構成例である。
【図３】本発明の実施例１における動作例を示すフローチャート図である。
【図４】本発明の実施例２におけるユーザ情報データベースの構成例である。
【図５】本発明の実施例３におけるユーザ情報データベースの構成例である。
【図６】本発明の実施例５におけるシステム構成例である。
【図７】本発明の実施例５における動作例を示すフローチャート図である。
【図８】従来技術のネットワーク構成例である。
【図９】従来技術の動作例を示すフローチャート図である。
【符号の説明】
【００３５】
１  ＤＨＣＰ情報管理システム
２，１０１  ＤＨＣＰサーバ
３，５，１０２，１０３  ユーザ収容ルータ
４，６，１０５〜１０８  ユーザ装置
１１  ＤＨＣＰ情報管理サーバ
１２  ユーザ情報データベースサーバ
１３  ユーザ回線断検出サーバ
５１，１０４  ＤＨＣＰサーバ部
１００  ＩＰネットワーク
【図１】
2006245872.tif 000003
【図２】
2006245872.tif 000004
【図３】
2006245872.tif 000005
【図４】
2006245872.tif 000006
【図５】
2006245872.tif 000007
【図６】
2006245872.tif 000008
【図７】
2006245872.tif 000009
【図８】
2006245872.tif 000010
【図９】
2006245872.tif 000011